(57)【要約】  パッケージング面付けスキームを生成する印刷面付け方法であって、目的の印刷シート特徴を与えるステップと、少なくとも１つのデザインされたパッケージ要素（２３，２６，２７）を与えるステップであって、デザインされたパッケージ要素は少なくとも１つの可変情報オブジェクト（９２，９３，９４）を有する、ステップと、少なくとも１つの可変情報オブジェクトに入れられる可変情報データ（４４，４５，４６，４７）を与えるステップと、少なくとも１つのデザインされたパッケージ要素（２３，２６，２７）において少なくとも１つの可変情報オブジェクト及び可変情報データ（４４，４５，４６，４７）を組み合わせることにより可変パッケージ要素（９５，９６，９７）を生成するステップと、目的の印刷シート特徴に従って目的の印刷シート（７０）上に可変パッケージ要素のステップアンドリピートを実行するステップと、を有する印刷面付け方法。
2012500438.tif 000002
【特許請求の範囲】
【請求項１】
パッケージング面付けスキームを生成する印刷面付け方法であって：
ａ）目的の印刷シート特徴を備えるステップ；
ｂ）少なくとも１つのデザインされたパッケージ要素を備えるステップであって、前記デザインされたパッケージ要素は少なくとも１つの可変情報オブジェクトを有する、ステップ；
ｃ）前記少なくとも１つの可変情報オブジェクトに入れられる可変情報データを備えるステップ；
ｄ）前記少なくとも１つのデザインされたパッケージ要素において前記少なくとも１つの可変情報オブジェクト及び前記可変情報データを組み合わせることにより可変パッケージ要素を生成するステップ；並びに
ｅ）前記目的の印刷シート特徴に従って目的の印刷シート上に前記可変パッケージ要素のステップアンドリピートを実行するステップ；
を有する印刷面付け方法。
【請求項２】
請求項１に記載の印刷面付け方法であって、前記目的の印刷シート特徴はシートサイズである、印刷面付け方法。
【請求項３】
請求項１に記載の印刷面付け方法であって、前記デザインされたパッケージ要素はパッケージングデザインアプリケーションにより生成され、ディジタル形式で与えられる、印刷面付け方法。
【請求項４】
請求項１に記載の印刷面付け方法であって、前記可変情報データは個人用データベースから検索される、印刷面付け方法。
【請求項５】
請求項１に記載の印刷面付け方法であって、前記可変情報オブジェクトはテキスト情報である、印刷面付け方法。
【請求項６】
請求項１に記載の印刷面付け方法であって、前記可変情報オブジェクトはグラフィカル情報である、印刷面付け方法。
【請求項７】
請求項１に記載の印刷面付け方法であって、前記可変情報オブジェクトは画像情報である、印刷面付け方法。
【請求項８】
請求項１に記載の印刷面付け方法であって、複数の目的シートが印刷される、印刷面付け方法。
【請求項９】
パッケージングのための印刷面付け方法であって：
ａ）面付けシートを備えるステップ；
ｂ）面付けシート特徴を備えるステップ；
ｃ）第１のデザインされたパッケージ要素を備えるステップであって、前記デザインされたパッケージ要素は第１の可変情報オブジェクトを有する、ステップ；
ｄ）第１の可変情報データを備えるステップ；
ｅ）前記第１の可変情報オブジェクトに前記第１の可変情報データを加えるステップ；  ｆ）前記第１のデザインされたパッケージ要素において前記第１の可変情報オブジェクト及び前記第１の可変情報データを組み合わせることにより第１可変パッケージ要素を生成するステップ；
ｇ）第２のデザインされたパッケージ要素を備えるステップであって、前記デザインされたパッケージ要素は第２の可変情報オブジェクトを有する、ステップ；
ｈ）第２の可変情報データを備えるステップ；
ｉ）前記第２可変情報オブジェクトに前記第２可変情報を加えるステップ；
ｊ）前記デザインされたパッケージ要素において前記第２の可変情報オブジェクト及び前記第２の可変情報データを組み合わせることにより第２可変パッケージ要素を生成するステップ；並びに
ｋ）前記面付けシート特徴に従って面付けシート上に前記第１可変パッケージ要素及び第２可変パッケージ要素を印刷するステップ；
を有する印刷面付け方法。
【請求項１０】
請求項９に記載の印刷面付け方法であって、前記第１のデザインされたパッケージ要素のダイカットは前記第２のデザインされたパッケージ要素と異なる、印刷面付け方法。
【発明の詳細な説明】
【技術分野】
【０００１】
本発明は一般に、個人用パッケージを生成するための印刷面付け方法に関し、特に、パッケージング面付けのための可変面付け情報を組み合わせる印刷面付け方法に関する。
【背景技術】
【０００２】
パッケージング印刷のために準備されるグラフィックアートジョブは特定のワークフローを用いる。そのワークフローは、目的とするパッケージのデザインに依存する。パッケージはしばしば、電子装置又は食品等の商用商品を運ぶために用いられる段ボール箱である。
【０００３】
図１は、そのようなパッケージング要素１０のデザインを示し、パッケージの平面化された二次元表現を示している。そのようなデザインはしばしば、ＥｓｋｏＡｒｔｗｏｒｋｓ社製のＡｒｔｉｏｓＣａｄ（登録商標）又はＡｒｄｅｎ  Ｓｏｆｔｗａｒｅ社製のＩｍｐａｃｔ（登録商標）等のＣＡＤ（Ｃｏｍｐｕｔｅｒ  Ａｉｄｅｄ  Ｄｅｓｉｇｎ）により準備される。
【０００４】
図２Ａ、２Ｂ及び２Ｃの各々は、異なるパッケージ２２、２４及び２６を構成するパッケージング要素１０に適用される異なるコンテンツを示している。典型的な例は、ジュースの製造業者である。各々のパッケージは、それらに印刷された異なるコンテンツ、例えば、シトラスジュース、オレンジジュース及びアップルジュースを有する同じデザインを有する。そのグラフィックアート及びコンテンツはしばしば、Ａｄｏｂｅ  Ｃｒｅａｔｉｖｅ  Ｓｕｉｔｅ（登録商標）又はＱｕａｒｋ  Ｘｐｒｅｓｓ（登録商標）等のパッケージを用いて、グラフィックアートデザイナにより準備される。
【０００５】
図３は、デザインされた印刷面付けシート３０の例を示している。その面付けシートの例は、同じ面付けシート上に入れられた同じ４つのパッケージング要素を有する。
【０００６】
パッケージング要素１０は典型的には、図１に示すように、非矩形形状である。所定の印刷面付けシート３０上にそのような形状を組むことは、Ｋｏｄａｃｋ社製のＰａｎｄｏｒａ（登録商標）又はＳｔｅｐＯｎｅ（登録商標）等の専用パッケージデザインアブリケーションにより達成される。パッケージングデザインワークフローは、少なくとも次のステップを有する。
１，次のパッケージングオリエンテドファイルフォーマット、即ち、シートサイズ情報を有するＣＦＦ２／ＤＤＥＳ／ＤＸＦ、単独のパッケージング形状及びステップを表すデータ、各々のインスタンスの繰り返しのうちの少なくとも１つに従って書き込まれたテキストファイルのみによりもたらされるステップをデザインし、パッケージング形状を繰り返す。
２．最初のステップで生成されたデータは、グラフィックアートデザインステップにより取り込まれて、Ｋｏｄａｋ  Ｐａｎｄｏｒａ（登録商標）等のアプリケーションを繰り返す。そのアプリケーションのユーザは更に、全ての繰り返しに同じアートワークを入れることが可能であり、又は、異なる繰り返しについて異なるアートワークを割り当てることが可能である。
３．最初のステップからのデータはＰｏｓｔｓｃｒｉｐｔ（登録商標）／ＰＤＦに変換され、各々の繰り返しが手動でグラフィックアート（アートワーク）情報を割り当てられるＡｄｏｂｅ  Ｃｒｅａｔｉｖｅ  Ｓｕｉｔｅ（登録商標）等のデザインパッケージに取り込まれる。ユーザは更に、同じアートワーク内に全ての繰り返しを入れることが可能であり、又は、異なる繰り返しについて異なるアートワークを割り当てることが可能である。  個人用印刷の導入の場合、各々の印刷される文書は直接、特定の受取人に対して指定されることが可能である。そのような個人用文書は、名前及び住所等の個人情報を取り込むことが可能であるが、異なる画像コンテンツを割り当てることも可能である。例えば、広告は、年齢、裕福さ及び場所が異なる人々を対象とされることが可能である。可変データ印刷（ＶＤＰ）ジョブは良好に確立されるが、それは、パッケージングジョブのデザイン及び印刷のためには用いられず、又はパッケージングジョブのデザイン及び印刷には容易に適合されない。
【発明の概要】
【発明が解決しようとする課題】
【０００７】
以下に詳述する本発明は、パッケージング印刷における可変データ印刷のための解決方法を提供する
【課題を解決するための手段】
【０００８】
簡単には、本発明の一特徴に従って、パッケージング面付けスキームをもたらす印刷面付け方法は、目的の印刷シート特徴を備えるステップと、少なくとも１つのデザインされたパッケージ要素を備えるステップであって、そのデザインされたパッケージ要素は少なくとも１つの可変情報オブジェクトを有する、ステップと、少なくとも１つの可変情報オブジェクトに加えられる可変情報データを備えるステップと、少なくとも１つのデザインされたパッケージ要素において少なくとも１つの可変情報オブジェクト及び可変情報データを組み合わせることにより、可変パッケージ要素を生成するステップと、目的の印刷シート特徴に従って目的の印刷シートにおいて可変パッケージ要素のステップアンドリピートを実行するステップと、を有する。
【０００９】
本発明の例示としての実施形態及び示されている図と関連付けて以下の詳細説明を読むときに、当業者は本発明の上記の及び他の目的、特徴及び有利点について理解することができる。
【図面の簡単な説明】
【００１０】
【図１】従来技術のパッケージング要素ダイカットデザインを模式的に示す図である。
【図２Ａ】異なるグラフィックデザインが各々入れられた従来技術のパッケージング要素を模式的に示す図である。
【図２Ｂ】異なるグラフィックデザインが各々入れられた従来技術のパッケージング要素を模式的に示す図である。
【図２Ｃ】異なるグラフィックデザインが各々入れられた従来技術のパッケージング要素を模式的に示す図である。
【図３】同じパッケージング要素を有する従来技術の面付けレイアウトシートを模式的に示す図である。
【図４】本発明に従った、可変要素を有する同じパッケージング要素を有する面付けレイアウトシートを模式的に示す図である。
【図５】異なるコンテンツを有するパッケージング要素を有する面付けレイアウトシートを模式的に示す図である。
【図６】異なるデザイン及びコンテンツを有するパッケージング要素を有する面付けレイアウトシートを模式的に示す図である。
【図７】同じシート上に異なるパッケージングジョブを有する面付けレイアウトシートを模式的に示す図である。
【図８】異なるパッケージングジョブを有する面付けレイアウトシートであって、各々のパッケージングジョブは可変情報ジョブであり、全てのジョブは同じシート上に印刷される、面付けレイアウトシートを模式的に示す図である。
【図９】可変データ記録リポジトリからの可変パッケージング文書の生成を模式的に示す図である。
【発明を実施するための形態】
【００１１】
可変データ印刷（ＶＤＰ）業界において、同じ繰り返しに対して異なるアートワークを割り当てることは、非ＶＤＰパッケージングジョブについて行われるように、手動では実行されない。そのようなジョブは実際には、オペレータにより手動で処理されず、各々の繰り返しを異なる情報により仕上げる。
【００１２】
図４は、パッケージング要素３４は、パッケージング面付けシート４０の４つのインスタンス全てについて同じである。更に、各々のインスタンスは、パッケージング要素３４の各々に取り付けられた可変構成要素（４４，４５，４６，４７）を有する。図９は、可変データ記録リポジトリ９１から検索された可変構成要素９２，９３，９４を示し、各々の記録は、新しく生成された可変パッケージング文書９５，９６、９７に入れられる。この実施例においては、テキスト形式の可変構成要素を示しているが、各々の記録は、例えば、画像又はグラフィックス等の異なる形式であることが可能である。種々の可変構成要素は、各々のパッケージング要素３４の異なる可変プレースホルダにおいて構成される又は自動的にグラフィカルに位置付けられることが可能である。そのような可変データリポジトリにおける記録量はかなり多いことが可能であり、従って、異なる記録に適合するように自動的に生成されたかなり多くの数のパッケージング要素がもたらされる。
【００１３】
図５は、異なるアートワークを有するが、パッケージング面付けシート５０に面付けされた同じ型抜きデザイン（５２，５３，５４，５５）を有するパッケージング構成要素を有するパッケージング面付けシート５０を示している。
【００１４】
図７は、そのシートに面付けされた３つの異なるパッケージングジョブを有するパッケージング面付けシート７０を示している。その実施例は、３つのジョブ７２、７４及び７６全てについて同じ型抜きデザインを、しかし異なるアートワークを示している。ジョブ７２はシート７０において２つのインスタンスを有し、ジョブ７４は１つのインスタンスを有し、そしてジョブ７６は３つのインスタンスを有する。
【００１５】
パッケージング面付けシート７０に類似するパッケージング面付けシート８０を示す図８を参照する。パッケージング面付けシート８０は、ジョブ７２、７４及び７６の各々のインスタンスを入れることに加えて、パッケージング面付けシート８０においてデザインされた可変構成要素を自動的に変化させて入れるように構成されている。
【００１６】
可変構成要素を入れることは、ラスタイメージプロセッサ（ＲＩＰ）に可変情報処理手段を備えることにより、ＲＩＰ前に又はＲＩＰ理中に実行されることが可能である。Ｃｒｅｏディジタルカラーサーバで用いられるＣｒｅｏ  ＲＩＰは、Ｃｒｅｏ  ＶＰＳ（Ｖａｒｉａｂｌｅ  Ｐｏｓｔｓｃｒｉｐｔ）、ＰＰＭＬ（Ｐｅｒｓｏｎａｌｉｚｅｄ  Ｐｒｉｎｔ  Ｍａｒｋｕｐ  Ｌａｎｇｕａｇｅ）、又は可変データ構成要素が備えられたＰＤＦ等の他のフォーマットを処理することができる。ＲＩＰを処理することができるＶＰＳを利用するように、備えられる必要があるパッケージングシートデザインアップリケーションにより生成されるデータは、ＶＰＳフォーマット又はＰＰＭＬ等のフォーマットを処理することができる他の可変フォーマットである。
【００１７】
本発明については、上で、特定の好適な実施形態に特定の参照番号を付けて詳述しているが、本発明の範囲内で多くの変形及び修正が有効であることが理解できる。
【図１】
2012500438.tif 000003
【図２Ａ】
2012500438.tif 000004
【図２Ｂ】
2012500438.tif 000005
【図２Ｃ】
2012500438.tif 000006
【図３】
2012500438.tif 000007
【図４】
2012500438.tif 000008
【図５】
2012500438.tif 000009
【図６】
2012500438.tif 000010
【図７】
2012500438.tif 000011
【図８】
2012500438.tif 000012
【図９】
2012500438.tif 000013
【国際調査報告】
2012500438.tif 000014
2012500438.tif 000015
2012500438.tif 000016